(57)【要約】【課題】結束部材によりコイルエンド部を結束する場合に、コイルの全長の増大や電機子全体の寸法の大型化を抑制することが可能な回転電機用電機子を実現する。【解決手段】コイル２０は、一対のスロット間に複数回巻回されてなる同心巻部を複数備えるとともに、一対の同心巻部のそれぞれの導体辺部同士を電機子コア２の軸方向の外側において接続する渡り部６０を複数備える。複数の渡り部６０の内の一部である第一渡り部６１は、異なるスロット内の最内層に配置された一対の導体辺部同士を接続し、別の一部である第二渡り部６２は、異なるスロット内の最外層に配置された一対の導体辺部同士を接続する。第一渡り部６１から第二渡り部６２に向かって第一渡り部６１と第二渡り部６２とを結ぶ方向が径方向Ｒの外側へ向かう成分を有するように延びる結束部材９０により、第一渡り部６１と第二渡り部６２とが互いに結束されている。【選択図】図１
2013176184.tif 000002
【特許請求の範囲】
【請求項１】
円筒状のコア基準面の軸方向に延びるスロットが当該コア基準面の周方向に複数分散配置されている電機子コアと、前記スロット内に配置される導体辺部を有して前記電機子コアに巻装されるコイルと、を備えた回転電機用電機子であって、
前記コイルは、一対の前記スロットのそれぞれに複数の前記導体辺部が配置されて当該一対のスロット間に複数回巻回されてなる同心巻部を複数備えるとともに、一対の前記同心巻部のそれぞれの前記導体辺部同士を、前記電機子コアの軸方向の外側において接続する渡り部を複数備え、
複数の前記渡り部の内の一部である第一渡り部は、異なる前記スロット内の最も径方向内側の層である最内層に配置された一対の前記導体辺部同士を接続し、
複数の前記渡り部の内の別の一部である第二渡り部は、異なる前記スロット内の最も径方向外側の層である最外層に配置された一対の前記導体辺部同士を接続し、
前記第一渡り部から前記第二渡り部に向かって前記第一渡り部と前記第二渡り部とを結ぶ方向が前記径方向の外側へ向かう成分を有するように延びる結束部材により、前記第一渡り部と前記第二渡り部とが互いに結束されている回転電機用電機子。
【請求項２】
前記第一渡り部と前記第二渡り部とは、それぞれ前記周方向に複数分散して配置され、
前記結束部材は、前記第一渡り部と前記第二渡り部とに交互に巻き掛けられている請求項１に記載の回転電機用電機子。
【請求項３】
連続するＫ個（Ｋは自然数を表す）の前記同心巻部が同心巻セットを構成し、
前記同心巻セットにおける前記コイルを流れる電流の方向に沿った一方端に配置される前記導体辺部が第一導体辺部であり、他方端に配置される前記導体辺部が第二導体辺部であり、
前記コイルは、巻回方向が互いに逆方向となる第一同心巻部と第二同心巻部とを有し、
前記第一同心巻部が構成する第一同心巻セットと、前記第二同心巻部が構成する第二同心巻セットとが交互に接続されて前記コイルが構成され、
前記第一同心巻セットの前記第一導体辺部と前記第二同心巻セットの前記第二導体辺部とが、前記最内層に配置されるとともに前記第一渡り部により互いに接続され、
前記第一同心巻セットの前記第二導体辺部と前記第二同心巻セットの前記第一導体辺部とが、前記最外層に配置されるとともに前記第二渡り部により互いに接続されている請求項１又は２に記載の回転電機用電機子。
【請求項４】
前記第一同心巻セットの前記第一導体辺部が前記最内層に配置された前記スロットの前記最外層に、前記第二同心巻セットの前記第一導体辺部が配置され、
前記第一同心巻セットの前記第二導体辺部が前記最外層に配置された前記スロットの前記最内層に、前記第二同心巻セットの前記第二導体辺部が配置されている請求項３に記載の回転電機用電機子。
【請求項５】
連続するＬ個（Ｌは２以上の偶数を表す）の前記同心巻部が前記同心巻セットを構成し、
前記同心巻部は、前記周方向に見て渦巻状に周回するように形成されており、
前記同心巻セットのそれぞれが、前記渦巻状の渦の方向が互いに逆方向となる正方向同心巻部と逆方向同心巻部とを備え、
前記同心巻セットのそれぞれにおいて、前記正方向同心巻部の渦巻の中心部に配置された前記導体辺部が、前記逆方向同心巻部の渦巻の中心部に配置された前記導体辺部に前記渡り部を介して接続されており、
前記第一同心巻セットが備える前記逆方向同心巻部の渦巻の中心部とは反対側に配置された前記導体辺部と、前記第二同心巻セットが備える前記逆方向同心巻部の渦巻の中心部とは反対側に配置された前記導体辺部とが、前記第一渡り部により互いに接続され、
前記第一同心巻セットが備える前記正方向同心巻部の渦巻の中心部とは反対側に配置された前記導体辺部と、前記第二同心巻セットが備える前記正方向同心巻部の渦巻の中心部とは反対側に配置された前記導体辺部とが、前記第二渡り部により互いに接続されている請求項３又は４に記載の回転電機用電機子。
【請求項６】
前記コイルは、複数の相のそれぞれに対応する相コイルを有し、
前記相コイルのそれぞれに備えられる前記第一渡り部が、前記周方向の両側に配置される他相の前記第一渡り部と前記周方向の位置を一部重複させた状態で、前記周方向に沿って複数配置されており、
前記相コイルのそれぞれに備えられる前記第二渡り部が、前記周方向の両側に配置される他相の前記第二渡り部と前記周方向の位置を一部重複させた状態で、前記周方向に沿って複数配置されている請求項１から５のいずれか一項に記載の回転電機用電機子。
【発明の詳細な説明】
【技術分野】
【０００１】
本発明は、円筒状のコア基準面の軸方向に延びるスロットが当該コア基準面の周方向に複数分散配置されている電機子コアと、スロット内に配置される導体辺部を有して電機子コアに巻装されるコイルと、を備えた回転電機用電機子に関する。
【背景技術】
【０００２】
上記のような回転電機用電機子の従来技術として、例えば特開２００８−２９５１６２号公報（特許文献１）に記載された技術がある。特許文献１には、電機子コアから軸方向に突出するコイルエンド部を結束部材により結束させ、コイルエンド部を固定する構成が記載されている。この際、結束部材は、コイルエンド部と電機子コアとの間に形成される隙間（特許文献１におけるレーシング紐挿通部１２）に順次通されて、コイルエンド部の全体を網目状に縫うように配置される。
【０００３】
しかしながら、特許文献１に記載の構成では、結束部材や結束部材を保持する部材（特許文献１におけるレーシング針４）を通すための隙間をコイルエンド部と電機子コアとの間に設ける必要がある。そのため、特許文献１の構成では、当該隙間の分だけ、コイルの全長が長くなり、また、電機子全体の寸法が大型化するおそれがある。
【先行技術文献】
【特許文献】
【０００４】
【特許文献１】特開２００８−２９５１６２号公報（段落００３１等）
【発明の概要】
【発明が解決しようとする課題】
【０００５】
そこで、結束部材によりコイルエンド部を結束する場合に、コイルの全長の増大や電機子全体の寸法の大型化を抑制することが可能な回転電機用電機子の実現が望まれる。
【課題を解決するための手段】
【０００６】
本発明に係る、円筒状のコア基準面の軸方向に延びるスロットが当該コア基準面の周方向に複数分散配置されている電機子コアと、前記スロット内に配置される導体辺部を有して前記電機子コアに巻装されるコイルと、を備えた回転電機用電機子の特徴構成は、前記コイルは、一対の前記スロットのそれぞれに複数の前記導体辺部が配置されて当該一対のスロット間に複数回巻回されてなる同心巻部を複数備えるとともに、一対の前記同心巻部のそれぞれの前記導体辺部同士を、前記電機子コアの軸方向の外側において接続する渡り部を複数備え、複数の前記渡り部の内の一部である第一渡り部は、異なる前記スロット内の最も径方向内側の層である最内層に配置された一対の前記導体辺部同士を接続し、複数の前記渡り部の内の別の一部である第二渡り部は、異なる前記スロット内の最も径方向外側の層である最外層に配置された一対の前記導体辺部同士を接続し、前記第一渡り部から前記第二渡り部に向かって前記第一渡り部と前記第二渡り部とを結ぶ方向が前記径方向の外側へ向かう成分を有するように延びる結束部材により、前記第一渡り部と前記第二渡り部とが互いに結束されている点にある。
【０００７】
上記の特徴構成によれば、結束部材による結束対象の部材が、異なるスロット内の最内層に配置される一対の導体辺部同士を接続する第一渡り部と、異なるスロット内の最外層に配置される一対の導体辺部同士を接続する第二渡り部とになる。この際、結束部材は、第一渡り部から第二渡り部に向かって第一渡り部と第二渡り部とを結ぶ方向が径方向の外側へ向かう成分を有するように延びるため、第一渡り部と第二渡り部とを結束することで、コイルエンド部におけるこれらの渡り部の間に位置する部分の移動を、主に径方向について規制することができる。従って、コイルエンド部と電機子コアとの間の隙間に結束部材を通すことなく、コイルエンド部を適切に結束することが可能となり、コイルエンド部と電機子コアとの間の隙間に結束部材を通す場合に比べて、コイルの全長の増大や電機子全体の寸法の大型化を抑制することができる。
【０００８】
ここで、前記第一渡り部と前記第二渡り部とは、それぞれ前記周方向に複数分散して配置され、前記結束部材は、前記第一渡り部と前記第二渡り部とに交互に巻き掛けられている構成とすると好適である。
【０００９】
この構成によれば、第一渡り部と第二渡り部とがそれぞれ周方向に複数分散して配置されるため、周方向の広い範囲で、コイルエンド部を適切に結束することができる。また、結束部材が、第一渡り部と第二渡り部とに交互に巻き掛けられるため、第一渡り部と第二渡り部とを互いに径方向に近づけさせる張力を結束部材に発生させるのが容易となる。そして、このような張力を結束部材に発生させる場合には、コイルエンド部における第一渡り部と第二渡り部との間に位置する部分の主に径方向の移動を、効果的に規制することができる。
【００１０】
また、連続するＫ個（Ｋは自然数を表す）の前記同心巻部が同心巻セットを構成し、前記同心巻セットにおける前記コイルを流れる電流の方向に沿った一方端に配置される前記導体辺部が第一導体辺部であり、他方端に配置される前記導体辺部が第二導体辺部であり、前記コイルは、巻回方向が互いに逆方向となる第一同心巻部と第二同心巻部とを有し、前記第一同心巻部が構成する第一同心巻セットと、前記第二同心巻部が構成する第二同心巻セットとが交互に接続されて前記コイルが構成され、前記第一同心巻セットの前記第一導体辺部と前記第二同心巻セットの前記第二導体辺部とが、前記最内層に配置されるとともに前記第一渡り部により互いに接続され、前記第一同心巻セットの前記第二導体辺部と前記第二同心巻セットの前記第一導体辺部とが、前記最外層に配置されるとともに前記第二渡り部により互いに接続されている構成とすると好適である。
【００１１】
この構成によれば、異なるスロット内の最内層に配置される一対の導体辺部同士を接続する第一渡り部を備えるとともに、異なるスロット内の最外層に配置される一対の導体辺部同士を接続する第二渡り部を備えるコイルを、適切に実現することができる。
【００１２】
上記のように前記第一同心巻セットと前記第二同心巻セットとが交互に接続されて前記コイルが構成される構成において、前記第一同心巻セットの前記第一導体辺部が前記最内層に配置された前記スロットの前記最外層に、前記第二同心巻セットの前記第一導体辺部が配置され、前記第一同心巻セットの前記第二導体辺部が前記最外層に配置された前記スロットの前記最内層に、前記第二同心巻セットの前記第二導体辺部が配置されている構成とすると好適である。
【００１３】
この構成によれば、第一渡り部と第二渡り部とを同じ周方向の位置に配置することができるため、コイルエンド部における第一渡り部と第二渡り部との間に位置する部分の径方向の移動を、径方向内側及び径方向外側の双方について規制することが容易となる。
【００１４】
上記のように前記第一同心巻セットと前記第二同心巻セットとが交互に接続されて前記コイルが構成される構成において、連続するＬ個（Ｌは２以上の偶数を表す）の前記同心巻部が前記同心巻セットを構成し、前記同心巻部は、前記周方向に見て渦巻状に周回するように形成されており、前記同心巻セットのそれぞれが、前記渦巻状の渦の方向が互いに逆方向となる正方向同心巻部と逆方向同心巻部とを備え、前記同心巻セットのそれぞれにおいて、前記正方向同心巻部の渦巻の中心部に配置された前記導体辺部が、前記逆方向同心巻部の渦巻の中心部に配置された前記導体辺部に前記渡り部を介して接続されており、前記第一同心巻セットが備える前記逆方向同心巻部の渦巻の中心部とは反対側に配置された前記導体辺部と、前記第二同心巻セットが備える前記逆方向同心巻部の渦巻の中心部とは反対側に配置された前記導体辺部とが、前記第一渡り部により互いに接続され、前記第一同心巻セットが備える前記正方向同心巻部の渦巻の中心部とは反対側に配置された前記導体辺部と、前記第二同心巻セットが備える前記正方向同心巻部の渦巻の中心部とは反対側に配置された前記導体辺部とが、前記第二渡り部により互いに接続されている構成とすると好適である。
【００１５】
この構成によれば、毎極毎相当たりのスロット数が偶数とされる場合に、異なるスロット内の最内層に配置される一対の導体辺部同士を接続する第一渡り部を備えるとともに、異なるスロット内の最外層に配置される一対の導体辺部同士を接続する第二渡り部を備えるコイルを、適切に実現することができる。この際、同心巻部が、周方向に見て渦巻状に周回するように形成されるため、１本の線状導体を周回させてコイルを形成する場合に、コイルの製造工程の簡素化を図ることができる。
【００１６】
上記の各構成の回転電機用電機子において、前記コイルは、複数の相のそれぞれに対応する相コイルを有し、前記相コイルのそれぞれに備えられる前記第一渡り部が、前記周方向の両側に配置される他相の前記第一渡り部と前記周方向の位置を一部重複させた状態で、前記周方向に沿って複数配置されており、前記相コイルのそれぞれに備えられる前記第二渡り部が、前記周方向の両側に配置される他相の前記第二渡り部と前記周方向の位置を一部重複させた状態で、前記周方向に沿って複数配置されている構成とすると好適である。
【００１７】
この構成によれば、周方向の広い範囲でコイルエンド部を適切に結束することが容易となる。
【図面の簡単な説明】
【００１８】
【図１】本発明の実施形態に係るステータの軸方向視図である。
【図２】図１におけるＩＩ−ＩＩ断面図である。
【図３】本発明の実施形態に係る第一製造段階の相コイルの一部の模式図である。
【図４】本発明の実施形態に係る第一製造段階の相コイルの一部の配置図である。
【図５】本発明の実施形態に係る第二製造段階の相コイルの一部の配置図である。
【図６】本発明の実施形態に係る第三製造段階の相コイルの一部の配置図である。
【発明を実施するための形態】
【００１９】
本発明に係る回転電機用電機子の実施形態について、図面を参照して説明する。ここでは、本発明に係る回転電機用電機子を、インナロータ型の回転電機のステータ１（図１、図２参照）に適用した場合を例として説明する。なお、回転電機は、モータ（電動機）、ジェネレータ（発電機）、及び必要に応じてモータ及びジェネレータの双方の機能を果たすモータ・ジェネレータのいずれをも含む概念である。本実施形態では、ステータ１及びステータコア２が、それぞれ、本発明における「回転電機用電機子」及び「電機子コア」に相当する。
【００２０】
以下の説明では、特に区別して明記している場合を除き、「軸方向Ｌ」、「周方向Ｃ」、「径方向Ｒ」は、円筒状のコア基準面Ｓの軸心Ａ（図１、図２参照）を基準として定義している。「軸第一方向Ｌ１」及び「軸第二方向Ｌ２」は、それぞれ、図２における軸方向Ｌに沿った上方及び下方を表す。「周第一方向Ｃ１」及び「周第二方向Ｃ２」は、それぞれ、軸第一方向Ｌ１側から見た軸方向Ｌ視（図１参照）での時計回り方向及び反時計回り方向を表す。「径第一方向Ｒ１」及び「径第二方向Ｒ２」は、それぞれ、コア基準面Ｓの径方向Ｒの内側へ向かう方向及び外側へ向かう方向を表す。そして、コイル２０及び当該コイル２０を構成する各部については、当該コイル２０がステータコア２に巻装された状態での方向として規定している。
【００２１】
以下の説明では、発明の理解を容易にすべく、コイル２０を構成する各部について、製造段階での説明においても、当該コイル２０が完成品としてのステータ１に巻装された状態における対応する部分と同じ名称（例えば導体辺部３０等）を用いて説明している。また、以下の説明における、各部材についての方向や位置等に関する用語（例えば「平行」等）は、製造上許容され得る誤差による差異を有する状態を含む概念として用いている。
【００２２】
１．ステータの全体構成
本実施形態に係るステータ１の全体構成について、図１及び図２を参照して説明する。ステータ１は、ステータコア２と、ステータコア２に巻装されるコイル２０とを備えている。ステータコア２は、磁性材料を用いて形成される。ステータコア２の径第一方向Ｒ１側（径方向内側）には、永久磁石や電磁石等を備えた界磁としてのロータ５（図２参照、図１では省略）が配置される。すなわち、本実施形態では、径第一方向Ｒ１側（径方向内側）が、径方向Ｒにおける界磁側となり、径第二方向Ｒ２側（径方向外側）が、径方向Ｒにおける界磁とは反対側（反界磁側）となる。
【００２３】
ステータコア２には、軸方向Ｌに延びるスロット３（図６参照）が周方向Ｃに複数分散配置されている。周方向Ｃに隣接する２つのスロット３の間には、ティース４が形成されている。上述した「円筒状のコア基準面Ｓ」は、スロット３の配置や構成に関して基準となる仮想的な面であり、本実施形態では、複数（スロット３と同数）のティース４の径第一方向Ｒ１側の端面を含む仮想的な円筒状の面（コア内周面）をコア基準面Ｓとしている（図１、図２参照）。なお、ステータコア２の径第二方向Ｒ２側の面（コア外周面）等をコア基準面Ｓとしても良い。
【００２４】
複数のスロット３は、周方向Ｃに沿って一定間隔で分散配置されている。各スロット３は、軸方向Ｌに延びるとともに、ステータコア２の軸心Ａから放射状に径方向Ｒに延びるように形成されている。各スロット３は、互いに同じ形状とされており、軸方向Ｌ及び径方向Ｒに延びるとともに、コイル２０の線幅に応じた周方向Ｃの幅を有する溝状に形成されている。各スロット３は、径第一方向Ｒ１側に開口（コア内周面に開口）している。ティース４は、周方向Ｃに隣接する２つのスロット３の間のそれぞれに形成され、複数のティース４が、周方向Ｃに沿って一定間隔で分散配置されている。各ティース４は、互いに同じ形状とされており、軸方向Ｌ及び径方向Ｒに延びるとともに、スロット幅及びスロットピッチに応じた周方向Ｃの幅を有する厚板状に形成されている。
【００２５】
本実施形態では、回転電機は多相交流（本例では三相交流）で駆動される交流電動機である。コイル２０は、複数の相（本例では、Ｕ相、Ｖ相、及びＷ相の三相）のそれぞれに対応する相コイル２１を有している。複数の相コイル２１のそれぞれには、位相が互いに異なる交流電流が流れる。本実施形態では、Ｕ相コイル、Ｖ相コイル、及びＷ相コイルの３つの相コイル２１が備えられ、ステータコア２には、Ｕ相用、Ｖ相用、及びＷ相用のスロット３が、周方向Ｃに沿って繰り返し現れるように配置されている。本実施形態では、毎極毎相当たりのスロット数が「２」とされており、ステータコア２には、各相用のスロット３が、周方向Ｃに沿って２つずつ繰り返し現れるように配置されている。すなわち、各相の相コイル２１は、互いに２スロットピッチずれた位置関係で配置される。そして、本実施形態では、毎相当たりの磁極数が「８」とされており、ステータコア２には合計４８（＝２×８×３）個のスロット３が設けられている。すなわち、本実施形態では、１スロットピッチは７．５度に相当する。また、本実施形態では、各相の相コイル２１がＹ結線（スター結線）されて、コイル２０が形成されている。
【００２６】
詳細は後述するが、コイル２０は、図３に示すように、スロット３内に配置される導体辺部３０を有するとともに、コイルエンド部を構成する渡り部６０とターン部２２とを有している。コイルエンド部は、コイル２０がステータコア２に巻装された状態で、当該ステータコア２から軸方向Ｌに突出するコイル２０の部分である。各スロット３には、導体辺部３０が複数層に分かれて配置される。ここで、「層」は、スロット３内における導体辺部３０の径方向Ｒの位置を表す。以下では、スロット３内の最も径第二方向Ｒ２側（径方向外側）の層である最外層を第一層とし、そこから径第一方向Ｒ１側に向かって順に、第二層、第三層、・・・とする。
【００２７】
本実施形態では、図６に示すように、導体辺部３０が偶数層（具体的には８層）に分かれて配置されており、コイル２０は偶数層巻構造（具体的には８層巻構造）とされている。すなわち、本実施形態では、スロット３内の最も径第一方向Ｒ１側（径方向内側）の層である最内層は、第八層となる。なお、図６は、相コイル２１の一部の配置状態を示す図である。図６においてスロット３内に付された数字は、相コイル２１（コイル２０）を流れる電流の方向（後述する線状導体の延在方向）に沿った導体辺部３０の配置順を示す識別番号であり、各識別番号を囲む四角形のそれぞれが、１つの導体辺部３０を表している。なお、図６においては相コイル２１を構成する一部の導体辺部３０のみを示しているが、以下の説明では、発明の理解を容易にすべく、図６に示されていない識別番号についても言及する場合がある。
【００２８】
図６では、電流の流れ方向に沿って、一対の導体辺部３０（導体辺部対）のそれぞれに対して「１」から順に識別番号を割り当てている。なお、相コイル２１（コイル２０）には交流電流が流れるが、以下では特に断らない限り、電源側（動力線側）から中性点側に向かって流れる電流の方向（図３〜図６において矢印で示す方向）を、相コイル２１（コイル２０）を流れる電流の方向とする。そして、同じ番号が付された一対の導体辺部３０（導体辺部対）が、１周分のコイル２０を構成する。すなわち、各識別番号は、コイル２０の周回順序を示している。また、各スロット３の上部に付した括弧内の数字は、スロット３の周方向Ｃの配列順序を示す番号である。後に参照する図４及び図５についても、図６と同様に、導体辺部３０の識別番号やスロット３の配列順序を示している。
【００２９】
相コイル２１は、電源或いは中性点に接続される端部を有する。本実施形態では、図６に示すように、識別番号が「１」である導体辺部３０が、電源に接続される側の相コイル２１の端部を構成し、識別番号が「６４」である導体辺部３０が、中性点に接続される側の相コイル２１の端部を構成する。そして、本実施形態では、相コイル２１の電源に接続される側の端部が、第一渡り部６１や第二渡り部６２と同じくステータコア２に対して軸第一方向Ｌ１側に配置されることで、コイルエンド部から引き出されるリード線も、第一渡り部６１や第二渡り部６２と同じくステータコア２に対して軸第一方向Ｌ１側に配置される。
【００３０】
２．コイルの構成
コイル２０は、線状の導体である線状導体により構成されている。線状導体は、例えば、銅やアルミニウム等の金属により形成される。このような線状導体として、複数の細線を束ねた縒り線からなる導体や、延在方向に直交する断面がスロット３の断面形状に合う形状（例えば矩形状）の導体等を用いることができる。本実施形態では、コイル２０は、重ね巻かつ分布巻によりステータコア２に巻装されている。なお、各相の相コイル２１は、周方向Ｃの配設位置が異なる点を除いて同様の構成を有しているため、以下では、図３〜図６に示す１つの相コイル２１（一部のみを図示）を取り上げて説明する。
【００３１】
図３及び図４に示すように、相コイル２１は、複数の同心巻部５０と複数の渡り部６０とを備えている。なお、図３は、ステータ１の製造段階（以下、「第一製造段階」という。）における、相コイル２１の一部の模式図であり、図４は、第一製造段階における相コイル２１の一部の配置図である。図３では、ステータコア２及び治具１０については、相コイル２１との周方向Ｃの位置関係を理解できる範囲内で簡略化して示している。図４に示すように、本実施形態では、ステータコア２へのコイル２０の巻装に際して治具１０が用いられる。治具１０の径第二方向Ｒ２側の面には、ステータコア２のスロット３と同数の治具スロット１１が形成されている。図３及び図４に示すように、第一製造段階では、相コイル２１を構成する複数の導体辺部３０の内の一部の導体辺部３０がステータコア２のスロット３に配置され、残りの全ての導体辺部３０が治具スロット１１に配置される。なお、治具スロット１１は、径第二方向Ｒ２側に開口している点を除いて、基本的にスロット３と同様に形成されている。
【００３２】
図５は、第一製造段階より後の製造段階である第二製造段階における、相コイル２１の一部の配置図である。具体的には、図５は、図４に示す状態から治具１０をステータコア２に対して周第二方向Ｃ２側に相対回転（本例では、６スロットピッチ分相対回転）させた状態である。この相対回転に応じて、相コイル２１の渡り部６０やターン部２２は変形する。図６は、第二製造段階より後の段階である第三製造段階における、相コイル２１の一部の配置図である。具体的には、図６は、図５に示す状態から治具スロット１１に配置された導体辺部３０を径第二方向Ｒ２側に押し出して、当該治具スロット１１に対向するステータコア２のスロット３内に挿入した状態である。そして、図６に示す相コイル２１の配置状態は、完成品としてのステータ１に巻装された状態（図１に示す状態）における導体辺部３０の配置状態と一致する。
【００３３】
同心巻部５０は、一対のスロット３のそれぞれに複数の導体辺部３０が配置されて当該一対のスロット３間に複数回巻回されてなるコイル部（言い換えれば、「単コイル部」或いは「重ね巻部」）である。すなわち、同心巻部５０は、複数本の線状導体の束で構成されている。ここで、「複数本」とは、線状導体の延在方向に直交する各断面において複数本となっていることを意味し、線状導体自体は全体として１本につながっていても良い。本実施形態では、１本の線状導体を複数回周回させることによって、複数本の線状導体の束からなる同心巻部５０が形成されている。図３に示すように、同じ同心巻部５０を構成する導体辺部３０同士は、ターン部２２により接続されている。すなわち、ステータコア２から軸方向Ｌに突出する同心巻部５０の部分が、ターン部２２を構成している。そして、詳細は後述するが、図３に示すように、連続するＫ個（Ｋは自然数を表す）の同心巻部５０が同心巻セット４０を構成している。後述するように、同じ同心巻セット４０を構成する複数の同心巻部５０は、それぞれが有する導体辺部３０が互いに隣接するスロット３（１スロットピッチずれたスロット３）に配置される。
【００３４】
本実施形態では、同心巻部５０は、線状導体を偶数回（具体的には４回）周回させてなる偶数周巻コイル部（具体的には４周巻コイル部）とされている。図６において、識別番号が「Ｍ」〜「Ｍ＋３」（Ｍ＝１，５，９，・・・５７，６１）の合計８個の導体辺部３０（４個の導体辺部対）が、１つの同心巻部５０を構成している。そして、図３及び図４に示すように、第一製造段階では、同心巻部５０が備える偶数個（本例では８個）の導体辺部３０の内、電流の方向が互いに同じとなる半分の導体辺部３０（第一導体辺部セット）が、ステータコア２のスロット３に配置され、電流の方向が互いに同じとなる残りの半分の導体辺部３０（第二導体辺部セット）が、治具スロット１１に配置される。なお、第一導体辺部セットと第二導体辺部セットとでは、電流の方向が逆向きとなる。そして、第三製造段階では、図６に示すように、同じ同心巻部５０を構成する第一導体辺部セットと第二導体辺部セットとは、互いに異なるスロット３（本例では、互いに６スロットピッチ離れた２つのスロット３）に分かれて配置される。また、本実施形態では、第一導体辺部セットは、第二導体辺部セットより周第一方向Ｃ１側において、当該第二導体辺部セットより径第二方向Ｒ２側に配置される。このように、本実施形態では、同じ同心巻部５０を構成する複数の導体辺部３０は、互いに６スロットピッチ離れた２つのスロット３に分かれて配置される。
【００３５】
また、本実施形態では、相コイル２１は、同心巻部５０として、巻回方向が互いに逆方向となる第一同心巻部５１と第二同心巻部５２とを有している。図６において、識別番号が「Ｎ」〜「Ｎ＋３」（Ｎ＝１，５，１７，２１，３３，３７，４９，５３）の合計８個の導体辺部３０が、１つの第一同心巻部５１を構成している。すなわち、第一同心巻部５１は、径第一方向Ｒ１側から見て電流の流れ方向が時計回り方向となる同心巻部５０である。また、図６において、識別番号が「Ｐ」〜「Ｐ＋３」（Ｐ＝９，１３，２５，２９，４１，４５，５７，６１）の合計８個の導体辺部３０が、１つの第二同心巻部５２を構成している。すなわち、第二同心巻部５２は、径第一方向Ｒ１側から見て電流の流れ方向が反時計回り方向となる同心巻部５０である。
【００３６】
本実施形態では、図３に示すように、第一製造段階において、第一同心巻部５１及び第二同心巻部５２の双方が、周方向Ｃに見て渦巻状に周回するように形成されている。具体的には、第一同心巻部５１及び第二同心巻部５２のそれぞれが、周方向Ｃに見て、当該同心巻部５０を構成する線状導体が交差することなく周回する渦巻状に形成されている。そして、図４〜図６より明らかなように、完成品としてのステータ１に巻装された状態においても、第一同心巻部５１及び第二同心巻部５２の双方は、周方向Ｃに見て渦巻状に周回する形状となる。
【００３７】
渡り部６０は、一対の同心巻部５０のそれぞれの導体辺部３０同士をステータコア２の軸方向Ｌの外側において接続するコイル部である。渡り部６０は、図６に示すように、少なくとも周方向Ｃに延びるように形成され、互いに異なるスロット３に分かれて配置された一対の導体辺部３０同士を接続する。本実施形態では、渡り部６０として、第一渡り部６１、第二渡り部６２、及び第三渡り部６３を備えている。すなわち、複数の渡り部６０の内の一部が第一渡り部６１に分類され、複数の渡り部６０の内の別の一部が第二渡り部６２に分類される。そして、本実施形態では、第一渡り部６１及び第二渡り部６２の何れにも分類されない渡り部６０として、第三渡り部６３を備えている。本実施形態では、図３〜図６に示すように、第一渡り部６１、第二渡り部６２、及び第三渡り部６３は、全て、ステータコア２に対して軸第一方向Ｌ１側に配置される。
【００３８】
図３〜図６に示すように、相コイル２１は、第一同心巻セット４１と第二同心巻セット４２とが交互に接続（具体的には直列接続）されて構成されている。ここで、第一同心巻セット４１は、連続するＫ個（Ｋは自然数を表す）の第一同心巻部５１が構成する同心巻セット４０であり、第二同心巻セット４２は、連続するＫ個の第二同心巻部５２が構成する同心巻セット４０である。すなわち、第一同心巻セット４１と第二同心巻セット４２とは、互いに異なる方向の磁極を形成する。本実施形態では、毎極毎相当たりのスロット数に合わせて、Ｋが「２」とされている。すなわち、本実施形態では、連続する偶数個（具体的には２個）の同心巻部５０が、同心巻セット４０を構成している。言い換えれば、互いに直列接続された偶数個の同心巻部５０が、同心巻セット４０を構成している。図３及び図４に示すように、同じ同心巻セット４０を構成する同心巻部５０同士は、第三渡り部６３により接続されている。
【００３９】
ここで、同心巻セット４０における電流の方向に沿った一方端（本例では下流側の端部）に配置される導体辺部３０を第一導体辺部３１とし、他方端（本例では上流側の端部）に配置される導体辺部３０を第二導体辺部３２とする。図６に示すように、第一同心巻セット４１の第一導体辺部３１と第二同心巻セット４２の第二導体辺部３２とが、第八層（最内層）に配置されるとともに第一渡り部６１により互いに接続されている。例えば、識別番号が「８」の第一同心巻セット４１の第一導体辺部３１と、識別番号が「９」の第二同心巻セット４２の第二導体辺部３２とが、第一渡り部６１により互いに接続されている。
【００４０】
このように、第一渡り部６１は、異なる同心巻セット４０同士を接続する渡り部６０である。そして、第一渡り部６１は、異なるスロット３内の最内層（第八層）に配置された一対の導体辺部３０同士を接続する。これにより、図１及び図２に示すように、第一渡り部６１を、コイルエンド部における最も径第一方向Ｒ１側の部分を軸方向Ｌに延びるように配置することが容易となっている。そして、本実施形態では、図１及び図６に示すように、第一渡り部６１は、周方向Ｃに複数分散して配置されている。なお、図１においては、同一の相コイル２１に備えられる第一渡り部６１及び第二渡り部６２にハッチングを付している。
【００４１】
また、図６に示すように、第一同心巻セット４１の第二導体辺部３２と第二同心巻セット４２の第一導体辺部３１とが、第一層（最外層）に配置されるとともに第二渡り部６２により互いに接続されている。例えば、識別番号が「１７」の第一同心巻セット４１の第二導体辺部３２と、識別番号が「１６」の第二同心巻セット４２の第一導体辺部３１とが、第二渡り部６２により互いに接続されている。
【００４２】
このように、第二渡り部６２は、異なる同心巻セット４０同士を接続する渡り部６０である。そして、第二渡り部６２は、異なるスロット３内の最外層（第一層）に配置された一対の導体辺部３０同士を接続する。これにより、図１及び図２に示すように、第二渡り部６２を、コイルエンド部における最も径第二方向Ｒ２側の部分を軸方向Ｌに延びるように配置することが容易となっている。そして、本実施形態では、図１及び図６に示すように、第二渡り部６２は、周方向Ｃに複数分散して配置されている。なお、図１においては簡素化のため、相コイル２１の端部においても、相コイル２１の端部同士（図６における識別番号が「１」の導体辺部３０と識別番号が「６４」の導体辺部３０との間）が第二渡り部６２により接続されているとしてコイルエンド部を図示している。
【００４３】
本実施形態では、図６に示すように、第一同心巻セット４１の第一導体辺部３１が第八層（最内層）に配置されたスロット３の第一層（最外層）に、第二同心巻セット４２の第一導体辺部３１が配置されている。例えば、識別番号が「２４」の第一同心巻セット４１の第一導体辺部３１が第八層に配置されたスロット３の第一層に、識別番号が「１６」の第二同心巻セット４２の第一導体辺部３１が配置されている。また、第一同心巻セット４１の第二導体辺部３２が第一層（最外層）に配置されたスロット３の第八層（最内層）に、第二同心巻セット４２の第二導体辺部３２が配置されている。例えば、識別番号が「１７」の第一同心巻セット４１の第二導体辺部３２が第一層に配置されたスロット３の第八層に、識別番号が「２５」の第二同心巻セット４２の第二導体辺部３２が配置されている。
【００４４】
上記のような構成を備えることで、本実施形態では、相コイル２１の端部の配置箇所を除いて、第一渡り部６１と第二渡り部６２とが互いに同じ周方向Ｃの位置に配置される。更に、本実施形態では、図６に示すように、第一渡り部６１及び第二渡り部６２の双方が、互いに５スロットピッチ離れた２つのスロット３に分かれて配置された一対の導体辺部３０同士を接続する。よって、本実施形態では、第一渡り部６１と第二渡り部６２とは、互いに同じ周方向Ｃの位置に配置されるとともに、周方向Ｃの幅（角度幅）が互いに同一とされる。
【００４５】
次に、第一同心巻セット４１及び第二同心巻セット４２の構成について具体的に説明する。図３に示すように、連続する偶数個（本例では２個）の第一同心巻部５１が第一同心巻セット４１を構成し、連続する偶数個（本例では２個）の第二同心巻部５２が第二同心巻セット４２を構成している。上述したように、第一同心巻部５１及び第二同心巻部５２のそれぞれは、周方向Ｃに見て渦巻状に周回するように形成されている。そして、第一同心巻セット４１及び第二同心巻セット４２のそれぞれは、渦巻状の渦の方向が互いに逆方向となる正方向同心巻部５３と逆方向同心巻部５４とを備えている。図３に示すように、正方向同心巻部５３の渦の方向は、周第二方向Ｃ２側から見て、時計回り方向に向かうに従って渦巻の中心部から離れる方向となる。また、逆方向同心巻部５４の渦の方向は、周第二方向Ｃ２側から見て、反時計回り方向に向かうに従って渦巻の中心部から離れる方向となる。以下では、渦巻の中心部（最も中心部側）に配置された導体辺部３０を第三導体辺部３３とする。
【００４６】
図３に示すように、同心巻セット４０のそれぞれにおいて、正方向同心巻部５３の渦巻の中心部に配置された第三導体辺部３３が、逆方向同心巻部５４の渦巻の中心部に配置された第三導体辺部３３に第三渡り部６３を介して接続されている。具体的には、第一同心巻セット４１は、図３に示すように、正方向同心巻部５３である第一同心巻部５１を１つ備えるともに、当該第一同心巻部５１に対して周第一方向Ｃ１側に、逆方向同心巻部５４である第一同心巻部５１を１つ備えている。本実施形態では、図６に示すように、逆方向同心巻部５４である第一同心巻部５１は、正方向同心巻部５３である第一同心巻部５１が配置されるスロット３に対して周第一方向Ｃ１側に隣接するスロット３（１スロットピッチずれたスロット３）に配置される。そして、それぞれの第一同心巻部５１の第三導体辺部３３同士が第三渡り部６３により接続される。これにより、第一同心巻セット４１を構成する正方向同心巻部５３と逆方向同心巻部５４とは、周第二方向Ｃ２側から見て、電流の方向が共に反時計回り方向となり、互いに同じ方向の磁極を形成する。
【００４７】
同様に、第二同心巻セット４２は、正方向同心巻部５３である第二同心巻部５２を１つ備えるともに、当該第二同心巻部５２に対して周第二方向Ｃ２側に、逆方向同心巻部５４である第二同心巻部５２を１つ備えている。本実施形態では、図６に示すように、逆方向同心巻部５４である第二同心巻部５２は、正方向同心巻部５３である第二同心巻部５２が配置されるスロット３に対して周第二方向Ｃ２側に隣接するスロット３に配置される。そして、それぞれの第二同心巻部５２の第三導体辺部３３同士が第三渡り部６３により接続される。これにより、第二同心巻セット４２を構成する正方向同心巻部５３と逆方向同心巻部５４とは、周第二方向Ｃ２側から見て、電流の方向が共に時計回り方向となり、互いに同じ方向（但し、第一同心巻セット４１とは逆方向）の磁極を形成する。
【００４８】
図３に示すように、第一同心巻セット４１の第一導体辺部３１は、逆方向同心巻部５４の渦巻の中心部とは反対側に配置された導体辺部３０により構成され、第一同心巻セット４１の第二導体辺部３２は、正方向同心巻部５３の渦巻の中心部とは反対側に配置された導体辺部３０により構成される。一方、第二同心巻セット４２の第一導体辺部３１は、正方向同心巻部５３の渦巻の中心部とは反対側に配置された導体辺部３０により構成され、第二同心巻セット４２の第二導体辺部３２は、逆方向同心巻部５４の渦巻の中心部とは反対側に配置された導体辺部３０により構成される。よって、本実施形態では、第一同心巻セット４１が備える逆方向同心巻部５４の渦巻の中心部とは反対側に配置された導体辺部３０と、第二同心巻セット４２が備える逆方向同心巻部５４の渦巻の中心部とは反対側に配置された導体辺部３０とが、第一渡り部６１により互いに接続される。また、第一同心巻セット４１が備える正方向同心巻部５３の渦巻の中心部とは反対側に配置された導体辺部３０と、第二同心巻セット４２が備える正方向同心巻部５３の渦巻の中心部とは反対側に配置された導体辺部３０とが、第二渡り部６２により互いに接続される。
【００４９】
そして、図６に示すように、第一同心巻セット４１を構成する導体辺部３０が径第二方向Ｒ２側部分（具体的には、第一層〜第四層）に配置されたスロット３の径第一方向Ｒ１側部分（具体的には、第五層〜第八層）に、第二同心巻セット４２を構成する導体辺部３０が配置され、第二同心巻セット４２を構成する導体辺部３０が径第二方向Ｒ２側部分（具体的には、第一層〜第四層）に配置されたスロット３の径第一方向Ｒ１側部分（具体的には、第五層〜第八層）に、第一同心巻セット４１を構成する導体辺部３０が配置されている。なお、本実施形態では、第一同心巻部５１及び第二同心巻部５２の双方は、周第一方向Ｃ１側の導体辺部３０がスロット３における径第二方向Ｒ２側部分（具体的には、第一層〜第四層）に配置され、周第二方向Ｃ２側の導体辺部３０がスロット３における径第一方向Ｒ１側部分（具体的には、第五層〜第八層）に配置される。
【００５０】
具体的には、第一同心巻セット４１の正方向同心巻部５３が有する導体辺部３０が第一層〜第四層に配置されたスロット３の第五層〜第八層に、第二同心巻セット４２の逆方向同心巻部５４が有する導体辺部３０が配置され、第一同心巻セット４１の逆方向同心巻部５４が有する導体辺部３０が第一層〜第四層に配置されたスロット３の第五層〜第八層に、第二同心巻セット４２の正方向同心巻部５３が有する導体辺部３０が配置されている。また、第二同心巻セット４２の逆方向同心巻部５４が有する導体辺部３０が第一層〜第四層に配置されたスロット３の第五層〜第八層に、第一同心巻セット４１の正方向同心巻部５３が有する導体辺部３０が配置され、第二同心巻セット４２の正方向同心巻部５３が有する導体辺部３０が第一層〜第四層に配置されたスロット３の第五層〜第八層に、第一同心巻セット４１の逆方向同心巻部５４が有する導体辺部３０が配置されている。
【００５１】
ここで、第一同心巻セット４１の正方向同心巻部５３が有する導体辺部３０が第一層〜第四層に配置されるスロット３を基準（以下、「基準スロット」とする。）とすると、基準スロットの周第一方向Ｃ１側に隣接するスロット３（１スロットピッチ離れたスロット３）が、第一同心巻セット４１の逆方向同心巻部５４が有する導体辺部３０が第一層〜第四層に配置されるスロット３となる。また、基準スロットから周第一方向Ｃ１側に６スロットピッチ離れたスロット３が、第二同心巻セット４２の逆方向同心巻部５４が有する導体辺部３０が第一層〜第四層に配置されるスロット３となる。そして、基準スロットから周第一方向Ｃ１側に７スロットピッチ離れたスロット３が、第二同心巻セット４２の正方向同心巻部５３が有する導体辺部３０が第一層〜第四層に配置されるスロット３となる。
【００５２】
図６に示すように、第一同心巻セット４１と第二同心巻セット４２とは、それぞれの同心巻セット４０を構成する導体辺部３０の電流の方向に沿った配置順が、径方向Ｒにおいて互いに逆の順序となっている。具体的には、第一同心巻セット４１を構成する識別番号が「１」〜「８」の導体辺部３０の配置から明らかなように、第一同心巻セット４１を構成する導体辺部３０の、電流の方向に沿った径方向Ｒの配置順序は、第一層、第八層、第二層、第七層、第三層、第六層、第四層、第五層、第四層、第五層、第三層、第六層、第二層、第七層、第一層、第八層の順となる。一方、第二同心巻セット４２を構成する識別番号が「９」〜「１６」の導体辺部３０の配置から明らかなように、第二同心巻セット４２を構成する導体辺部３０の、電流の方向に沿った径方向Ｒの配置順序は、第八層、第一層、第七層、第二層、第六層、第三層、第五層、第四層、第五層、第四層、第六層、第三層、第七層、第二層、第八層、第一層の順となる。このように、第一同心巻セット４１と第二同心巻セット４２とは、それぞれの同心巻セット４０を構成する導体辺部３０の電流の方向に沿った配置順が、径方向Ｒにおいて互いに逆の順序となっている。
【００５３】
上記の径方向Ｒにおける導体辺部３０の配置順序の関係は、図３に示す第一製造段階においても成立する。そして、図３に示す状態では、第一同心巻セット４１と第二同心巻セット４２とは、これらを接続する渡り部６０（図３では第一渡り部６１）の配設位置における周方向Ｃに直交する面を対称面として、互いに面対称（鏡像対象）な形状となっている。すなわち、図３に示すように、第一同心巻セット４１及び第二同心巻セット４２の双方は、第一渡り部６１から周方向Ｃに離れるに従って逆方向同心巻部５４及び正方向同心巻部５３を順に備え、周方向Ｃの一方側から見て、第一同心巻セット４１を構成する線状導体と第二同心巻セット４２を構成する線状導体とが互いに同じ或いは同様の形状となるように形成されている。
【００５４】
３．結束部材の構成
相コイル２１が備える第一渡り部６１及び第二渡り部６２のそれぞれは、上述したように、周方向Ｃに複数分散配置されている。そして、本実施形態では、図１に示すように、相コイル２１のそれぞれに備えられる第一渡り部６１が、周方向Ｃの両側に配置される他相の第一渡り部６１と周方向Ｃの位置を一部重複させた状態で、周方向Ｃに沿って複数配置されている。また、本実施形態では、図１に示すように、相コイル２１のそれぞれに備えられる第二渡り部６２が、周方向Ｃの両側に配置される他相の第二渡り部６２と周方向Ｃの位置を一部重複させた状態で、周方向Ｃに沿って複数配置されている。なお、特定の相（例えばＵ相）の渡り部６１，６２の周方向Ｃの両側に配置される一対の渡り部６１，６２は、当該特定の相とは異なる相であって互いに異なる相（例えばＶ相及びＷ相）の渡り部６１，６２とされる。
【００５５】
第一渡り部６１と第二渡り部６２とは、結束部材９０により互いに結束されている。結束部材９０は、少なくとも表面が電気的絶縁性の高い材料で構成される。この結束部材９０は、第一渡り部６１から第二渡り部６２に向かって第一渡り部６１と第二渡り部６２とを結ぶ方向（以下「結束方向」という。）が、径方向Ｒの外側（径第二方向Ｒ２側）へ向かう成分を有するように延びている。本実施形態では、結束部材９０は、第一渡り部６１と第二渡り部６２とに交互に巻き掛けられている。
【００５６】
具体的には、本実施形態では、図１に示すように、同じ周方向Ｃの位置に第一渡り部６１と第二渡り部６２とが配置されており、結束部材９０は、径方向Ｒに平行に径第二方向Ｒ２へ向かう方向と、周第二方向Ｃ２に向かうに従って径第二方向Ｒ２へ向かう方向との２つの方向が結束方向となるように、第一渡り部６１と第二渡り部６２とに交互に巻き掛けられている。なお、本実施形態では、後者の方向は、第一渡り部６１と、当該第一渡り部６１と同じ周方向Ｃの位置に配置された第二渡り部６２に対して周第二方向Ｃ２側に隣接する第二渡り部６２とを結ぶ方向となっている。よって、本実施形態では、結束部材９０は、同じ周方向Ｃの位置に配置された第一渡り部６１と第二渡り部６２とからなる渡り部組に対して、周方向Ｃに隣接する渡り部組を周方向Ｃにおける一方側に向かって順次結束するように配置される。
【００５７】
なお、本実施形態では、図１及び図２に示すように、第一渡り部６１は、ステータコア２から軸方向Ｌに延出する一対の第一軸方向延在部６１ａと、一対の第一軸方向延在部６１ａ同士を接続する第一周方向延在部６１ｂとを有する。第一軸方向延在部６１ａと第一周方向延在部６１ｂとの境界部には径方向Ｒの屈曲部が形成されており、第一周方向延在部６１ｂは第一軸方向延在部６１ａより径第二方向Ｒ２側に配置されている。また、第一周方向延在部６１ｂは、ターン部２２より軸方向Ｌの外側（軸第一方向Ｌ１側）に配置されている。第二渡り部６２は、第一軸方向延在部６１ａに対応する第二軸方向延在部６２ａと、第一周方向延在部６１ｂに対応する第二周方向延在部６２ｂとを有し、第二周方向延在部６２ｂは第二軸方向延在部６２ａより径第一方向Ｒ１側に配置されている。また、第二周方向延在部６２ｂは、ターン部２２より軸方向Ｌの外側（軸第一方向Ｌ１側）に配置されている。そして、結束部材９０は、第一周方向延在部６１ｂの周方向Ｃの中央部に巻き掛けられるとともに、第二周方向延在部６２ｂの周方向Ｃの中央部に巻き掛けられている。
【００５８】
上記のような構成を備えることで、コイルエンド部においてターン部２２により形成される円環状部分は、結束部材９０により結束された第一渡り部６１と第二渡り部６２とにより径方向Ｒの両側から挟持され、径方向Ｒに沿った移動が規制される。また、当該円環状部分は、渡り部６１，６２と結束部材９０とにより、軸方向Ｌの外側（軸第一方向Ｌ１側）への移動も規制される。なお、図１に示す例では、結束部材９０が１本の線状部材により構成されているが、結束部材９０を複数の線状部材により構成し、当該複数の線状部材が互いに異なる部分を結束する構成とすることもできる。
【００５９】
４．その他の実施形態
最後に、本発明に係る回転電機用電機子の、その他の実施形態について説明する。なお、以下のそれぞれの実施形態で開示される構成は、矛盾が生じない限り、他の実施形態で開示される構成と組み合わせて適用することが可能である。
【００６０】
（１）上記の実施形態では、結束部材９０が、第一渡り部６１と第二渡り部６２とに交互に巻き掛けられる構成を例として説明した。しかし、本発明の実施形態はこれに限定されるものではなく、結束部材９０が、複数の第一渡り部６１に対して連続して巻き掛けられる構成や、結束部材９０が、複数の第二渡り部６２に対して連続して巻き掛けられる構成とすることもできる。
【００６１】
（２）上記の実施形態では、結束部材９０が、第一周方向延在部６１ｂの周方向Ｃの中央部に巻き掛けられるとともに、第二周方向延在部６２ｂの周方向Ｃの中央部に巻き掛けられる構成を例として説明した。しかし、本発明の実施形態はこれに限定されるものではなく、例えば、結束部材９０が、第一周方向延在部６１ｂの周方向Ｃの何れか一方側の端部に巻き掛けられるとともに、第二周方向延在部６２ｂの周方向Ｃの何れか一方側の端部に巻き掛けられる構成とすることができる。この際、第一周方向延在部６１ｂにおいて結束部材９０が巻き掛けられる部分と、第二周方向延在部６２ｂにおいて結束部材９０が巻き掛けられる部分とは、周方向Ｃにおける同じ側の端部としても互いに異なる側の端部としても良い。
【００６２】
（３）上記の実施形態では、Ｋが「２」とされ、連続する２個の同心巻部５０が同心巻セット４０を構成する場合を例として説明した。しかし、本発明の実施形態はこれに限定されるものではなく、毎極毎相当たりのスロット数等に応じて、Ｋを「２」以外の偶数（例えば「４」）とすることもできる。また、Ｋは偶数に限られず、Ｋを奇数とすることも可能である。この場合、Ｋを「１」とし、同心巻セット４０を構成する同心巻部５０が１個である構成とすることもできる。このように、Ｋを奇数とする場合等においては、同心巻部５０を、周方向に見て渦巻状に周回するようには形成せず、周方向に見て当該同心巻部５０を構成する線状導体が交差する形状に形成することができる。
【００６３】
（４）上記の実施形態では、第一同心巻セット４１の第一導体辺部３１が第八層（最内層）に配置されたスロット３の第一層（最外層）に、第二同心巻セット４２の第一導体辺部３１が配置され、第一同心巻セット４１の第二導体辺部３２が第一層（最外層）に配置されたスロット３の第八層（最内層）に、第二同心巻セット４２の第二導体辺部３２が配置された構成を例として説明した。しかし、本発明の実施形態はこれに限定されるものではなく、第一同心巻セット４１の第一導体辺部３１が第八層（最内層）に配置されるスロット３に隣接するスロット３の第一層（最外層）に、第二同心巻セット４２の第一導体辺部３１が配置される構成や、第一同心巻セット４１の第二導体辺部３２が第一層（最外層）に配置されるスロット３に隣接するスロット３の第八層（最内層）に、第二同心巻セット４２の第二導体辺部３２が配置される構成とすることも可能である。
【００６４】
（５）上記の実施形態では、第一同心巻セット４１を構成する導体辺部３０が径第二方向Ｒ２側部分に配置されたスロット３の径第一方向Ｒ１側部分に、第二同心巻セット４２を構成する導体辺部３０が配置され、第二同心巻セット４２を構成する導体辺部３０が径第二方向Ｒ２側部分に配置されたスロット３の径第一方向Ｒ１側部分に、第一同心巻セット４１を構成する導体辺部３０が配置された構成を例として説明した。しかし、本発明の実施形態はこれに限定されるものではなく、第一同心巻セット４１を構成する導体辺部３０と、第二同心巻セット４２を構成する導体辺部３０とが、同じスロット３に配置されない構成とすることもできる。
【００６５】
（６）上記の実施形態では、第一渡り部６１の第一軸方向延在部６１ａと第一周方向延在部６１ｂとについて、第一周方向延在部６１ｂが、第一軸方向延在部６１ａより径第二方向Ｒ２側に配置されるとともに、第一周方向延在部６１ｂが、ターン部２２より軸方向Ｌの外側（軸第一方向Ｌ１側）に配置された構成を例として説明した。しかし、本発明の実施形態はこれに限定されるものではなく、第一周方向延在部６１ｂと第一軸方向延在部６１ａとが同じ径方向Ｒの位置に配置される構成や、第一周方向延在部６１ｂが、ターン部２２の軸第一方向Ｌ１側の端面より軸第二方向Ｌ２側に配置される構成とすることも可能である。第二渡り部６２の第二軸方向延在部６２ａと第二周方向延在部６２ｂとについても同様である。
【００６６】
（７）上記の実施形態では、本発明に係る回転電機用電機子を、インナロータ型の回転電機のステータ１に適用した場合を例として説明した。しかし、本発明の実施形態はこれに限定されるものではなく、本発明に係る回転電機用電機子を、アウタロータ型の回転電機のステータ１に適用することも可能である。この場合、径第一方向Ｒ１側（径方向内側）が、径方向Ｒにおける界磁とは反対側（反界磁側）となり、径第二方向Ｒ２側（径方向外側）が、径方向Ｒにおける界磁側となる。
【００６７】
（８）その他の構成に関しても、本明細書において開示された実施形態は全ての点で例示であって、本発明の実施形態はこれに限定されない。すなわち、本願の特許請求の範囲に記載されていない構成に関しては、本発明の目的を逸脱しない範囲内で適宜改変することが可能である。
【産業上の利用可能性】
【００６８】
本発明は、円筒状のコア基準面の軸方向に延びるスロットが当該コア基準面の周方向に複数分散配置されている電機子コアと、スロット内に配置される導体辺部を有して電機子コアに巻装されるコイルと、を備えた回転電機用電機子に好適に利用することができる。
【符号の説明】
【００６９】
１：ステータ（回転電機用電機子）
２：ステータコア（電機子コア）
３：スロット
２０：コイル
２１：相コイル
３０：導体辺部
３１：第一導体辺部
３２：第二導体辺部
４０：同心巻セット
４１：第一同心巻セット
４２：第二同心巻セット
５０：同心巻部
５１：第一同心巻部
５２：第二同心巻部
５３：正方向同心巻部
５４：逆方向同心巻部
６０：渡り部
６１：第一渡り部
６２：第二渡り部
９０：結束部材
Ｃ：周方向
Ｌ：軸方向
Ｒ：径方向
Ｓ：コア基準面
【図１】
2013176184.tif 000003
【図２】
2013176184.tif 000004
【図３】
2013176184.tif 000005
【図４】
2013176184.tif 000006
【図５】
2013176184.tif 000007
【図６】
2013176184.tif 000008